(57)【要約】【課題】  壁面などが脆い素材構造の素材である場合ネジを回転させて取付金具を締め付けようとするとネジの頭部で建築物の取付金具を押える時に加わる回転トルクによってネジ山が素材を破壊しネジが空転するという問題。【解決手段】取付金具にあるネジ孔の中心と最短の端部までの距離をＬ１金具の厚さをＴ１とした時、外形が任意の形状の金属板からなりネジ山径よりも小さな貫通孔とその周囲に皿状の窪み部を設け、その貫通孔の中心からの距離Ｌ２がＬ１を超える距離にある金属板の外周上に皿状の窪み部と同じ方向へ垂れ下がった突起を有するネジ固定補助具と貫通孔にねじ込むネジ体とからなる固定装置を提供する。【選択図】図１
2008175378.tif 000002
【特許請求の範囲】
【請求項１】
建築物の壁面などに取付けられる金具に設けられているネジ挿通用の貫通したネジ孔の中心と最短の端部までの距離をＬ１、建築物の壁面に取付けられる金具の厚さをＴ１とした時、外形が任意の円形、多角形などの板状の金属板からなり、その平面部にはネジのネジ山径よりも小さな円形の貫通孔とその貫通孔の周囲に皿状の窪み部を設け、その貫通孔の中心からの距離Ｌ２がＬ１を超える距離にある金属板の外周上の少なくとも一箇所に皿状の窪み部と同じ方向へＴ１とほぼ同じ長さで垂れ下がった突起を有するネジ固定補助具と、その貫通孔に軸部の尖った先端が挿入後螺入され、軸部のネジ山が軸部の終端に設けられた頭部の直下に至るまで形成されたネジ体とからなる固定装置。
【発明の詳細な説明】
【技術分野】
【０００１】  本発明は、建築物の壁面などに取付けられる金具を固定する手段、更に詳しくは壁面などの素材が軟らかい、または密度の粗いものである場合の固定手段に関する。
【背景技術】
【０００２】  一般に金具を建築物の壁面などに固定する手段としては軸状体の一端に頭部を有し、軸状体にネジ山を有するネジを用いる方法が一般的に知られ、実施されている。【０００３】  木質の壁面などの場合は上記ネジ単体で用いられることが多いが、コンクリートなどのようにネジが有効に機能しない素材である場合は「プラグ」と呼ばれるプラスチック製の栓を、壁面に予めあけられた孔に挿入し、その後にネジを用いて固定する方法も一般的に知られ、実施されている。
【特許文献１】特開平９−７９２３９号公報
【特許文献２】特開平１０−１９６６３３号公報
【発明の開示】
【発明が解決しようとする課題】
【０００４】  建築物の壁面などの素材が通常の木材などのように適度に硬く、復元性を有する場合はネジ単体で、通常のコンクリートなどのように十分に密で硬い場合はプラグを併用することで、何ら問題なく建築物の壁面に取付けられる金具の固定を行なうことができる。【０００５】  しかしながら、建築物の壁面などの素材が軟らかいか、密度の粗いものである場合、例えば発泡した素材や、内部に多くの小さな空洞を有する構造の素材である場合、ネジを回転させて建築物の壁面に取付けられる金具を締め付けようとすると、ネジの頭部で建築物の壁面に取付けられる金具を押える最終締め付け時に加わる大きな回転トルクによってネジ山が素材を破壊し、ネジが空転するという問題がある。【０００６】  また、プラグを併用する場合に於いても、発泡したコンクリートや内部に多くの空洞を有するブロック状の素材である場合、ネジの最終締め付け時に加わる大きな回転トルクによってネジと一体になったプラグが素材を破壊あるいはプラグと素材との間に滑りが生じて空転し、プラグが空転によって、プラグ自身や素材を削り、隙間が生じて建築物の壁面に取付けられる金具を確実に固定することができないという問題がある。【０００７】  さらに特許文献１に開示されているように、プラグ自体に空転防止の機能を持たせる発明も行なわれているが、建築物の壁面などの素材がことさら脆い場合は、プラグ自身の空転を防止させることは困難となる。【０００８】  これら問題を発生させないためには、ネジが建築物の壁面に取付けられる金具を壁面素材に十分に押し付けた段階で、直ちにネジへの回転作業を中止する必要がある。【０００９】  具体的には、ドライバーなど工具の回転を止めることが求められるが、近年においては工具類の電動化と強力化が進んでいるため、ネジの最終締め付け時の微妙な感触を感じ取って、回転を止めることは困難となっている。
【課題を解決するための手段】
【００１０】  建築物の壁面などに取付けられる金具に設けられているネジ挿通用の貫通したネジ孔の中心と最短の端部までの距離をＬ１、金具の厚さをＴ１とした時、外形が任意の円形、多角形などの板状の金属板からなり、その平面部にはネジのネジ山径よりも小さな円形の貫通孔とその貫通孔の周囲に皿状の窪み部を設け、その貫通孔の中心からの距離Ｌ２がＬ１を超える距離にある金属板の外周上の少なくとも一箇所に皿状の窪み部と同じ方向へＴ１とほぼ同じ長さで垂れ下がった突起を有するネジ固定補助具とその貫通孔に軸部の尖った先端が挿入螺入され、軸部のネジ山が軸部の終端に設けられた頭部の直下に至るまで形成されたネジ体とからなる固定装置。【００１１】  次に、この発明の実施形態を図示例と共に説明する。
図２は建築物の壁面に取付けられる金具の一例を示し、建築物の壁面に取付けられる金具１１に設けられているネジ挿通用の貫通したネジ孔１２の中心と最短の端部１３までの長さをＬ１、金具の厚さをＴ１とした時、この発明は図１に示すように、外形が任意の円形、多角形などの板状の金属板からなり、金属板にはその平面部にネジのネジ山よりも小さな直径の円形の貫通孔２と、その貫通孔２の周辺に皿状の窪み部３を設け、その貫通孔２の中心からの距離Ｌ２がＬ１を超える金属板の外周上の少なくとも一箇所に皿状の窪み部と同じ方向へＴ１とほぼ同じ長さで垂れ下がった突起４を有することを特徴とするネジ固定補助具１と、その貫通孔２に軸部の尖った先端が挿入螺入され、軸部のネジ山が軸部の終端に設けられた頭部の直下に至るまで形成されたネジ体５とからなる固定装置である。【００１２】  この発明の固定補助具１の貫通孔からの距離Ｌ２は建築物の壁面に取付けられる金具１１の距離Ｌ１を超えれば良いが、特定すればＬ１＜Ｌ２＜Ｌ１×１．５が適正な範囲である。【００１３】  この発明の固定補助具１を用いて建築物の壁面などに取付けられる金具１１を固定する場合は、図３に示すように建築物の壁面などに取付けられる金具１１の上に固定補助具１を貫通したネジ孔１２と貫通孔２が重なるようにして乗せる。【００１４】  続いて、貫通孔２にネジ体５の尖った先端を挿入して電動ドライバーなどの工具でネジを回転螺入させる。【００１５】  貫通孔２の直径はネジのネジ山径よりも小さいため、作業者により、ネジが固定補助具１に押し付けられながら右回転すると、その回転力を受けた固定補助具１はネジ体５と同じ右方向へ回る。【００１６】  しかし、すぐに突起４が建築物の壁面に取付けられる金具の端部に突き当たり、固定補助具１の回転は阻止される。【００１７】  そのあとは、ネジ体５のみが回転を続け、固定補助具１の貫通孔２にメネジを形成しながら進入する。【００１８】  やがて、ネジ体５の頭部が固定補助具１の表面に当たり、ネジ体５のネジ山が固定補助具１の貫通孔２と嵌めあい状態になって、固定補助具１に強い回転トルクが生じる。【００１９】  この発明の固定補助具１を用いず、貫通孔２がネジ山径よりも大きく、かつ垂れ下がった突起４を有しない公知の座金を用いている場合は、このトルクを制止する機能が存在しないために、ネジに過剰な回転運動を許す結果となり、この段階で建築物の壁面などの脆い素材をネジ山が破壊する。【００２０】  この発明の固定補助具１を用いた場合はネジ山と固定補助具１の小さな貫通孔２とは「オネジ」と「メネジ」の関係が形成されており、強い回転トルクに抗し、ネジ体の過剰な回転は阻止され、作業者に建築物の壁面に取付けられる金具１１の締め付けが十分に完了したことが伝わり、ネジ締めの作業は終了される。【００２１】  公知の尖り先のネジは頭部の直下からネジ山を有しないものも多数存在しているが、この発明では、最終の締め付け時のネジ体５に加えられた回転トルクがこの固定補助具１に伝わることが必要となるため、ネジ山が頭部の直下まで形成されていることが必須となる。【００２２】  また、公知のワッシャー類において、特許文献２に開示されるような係止片３が設けられたものも知られているが、ネジ山とその協働によって過剰な回転を制止するという思想と構成は存在していない。【００２３】  突起４はその垂れ下がり寸法が建築物の壁面に取付けられる金具１１の厚さＴ１とほぼ同じ長さであり、右回転方向側の端面は垂直に垂れ下がっていることが望ましい。【００２４】  突起４が十分な長さで垂れ下がっていない場合は、右回転運動を始めて建築物の壁面に取付けられる金具１１の端部に突き当たったときに固定補助具１の有する弾性によって、上方向に曲がって建築物の壁面に取付けられる金具１１を乗り越え、右回転運動を続ける恐れがある。しかし、再び別の端部に突き当たるので、再び固定補助具１の回転は阻止される機会を得る。【００２５】  一方で、その垂れ下がり寸法が建築物の壁面に取付けられる金具１１の厚さＴ１よりも大きい場合は、建築物の壁面などを傷付ける恐れがあるが、この発明の期待する作用を阻害するほどのものではない。したがって、「ほぼ」同じ長さであればよい。【００２６】  図４に示すように、垂れ下がった突起４には、右回転方向の端面４ａと左回転方向の端面４ｂの２つの端面が生じるが、右回転運動をさらに確実に阻止するためには、特に右回転方向の端面４ａは固定補助具１の平面部から垂直に、または垂れ下がり下端が右回転方向へ突出するように傾斜していることが望ましい。【００２７】  皿状の窪み部３は図５に示すように突出した底面がネジ５の締め付けによって建築物の壁面に取付けられる金具１１の貫通したネジ孔１２に入り、固定補助具１と建築物の壁面に取付けられる金具１１の位置ズレを補正する効果を有する。【００２８】  しかし、それよりも重要な皿状の窪み部３の機能は図５に示すようにネジの頭部直下に１／２ピッチ程度生じがちな不完全ネジ山５ａよりもさらに先端よりの完全ネジ山５ｂと貫通孔２との間で安定した嵌め合いを得ることを可能とさせ、制止機能を有効なものとすることであり、これは貫通孔２の直径がネジ山径よりも小さいことと相互に関係し、本発明必須の構成要件となる。【００２９】  固定補助具１の貫通孔２には、ネジのネジ山がその通過路を形成することを容易にするために、図６に示すように、貫通孔２の内周面の一箇所に切り欠き２ａを設け、更に切り欠きの前壁２ｂと切り欠きの後壁２ｃの窪み寸法を異なるようにしてネジ山の通過を容易にするようにしても良いが、固定補助具１の厚さが薄く、ネジ山が貫通孔２にメネジを自己形成できる場合は切り欠き２ａは無くても良い。【００３０】  なお、この発明の固定補助具１を既に述べた脆いコンクリートやブロックのような素材に用いる場合、断面がほぼ円形の棒体の内部に縦方向の空洞を有する胴部の中間部から先端部にかけて、割り溝を有している一般に「プラグ」と呼ばれる拡張栓をネジ５の先端に挿入して用いるが、図示を省いている。
【図面の簡単な説明】
【００３１】
【図１】  ネジ固定補助具の図
【図２】  建築物の壁面に取付けられる金具の一例
【図３】  固定装置の使用状態図
【図４】  突起４の実施例
【図５】  締め付け状態断面図
【図６】  貫通孔の切り欠き部の一例
【符号の説明】
【００３２】１        固定補助具
２        貫通孔
２ａ      切り欠き
２ｂ      切り欠きの前壁
２ｃ      切り欠きの後壁
３        皿状の窪み部
４        突起
４ａ      右回転方向の端面
４ｂ      左回転方向の端面
５        ネジ体
５ａ      不完全ネジ山
５ｂ      完全ネジ山
１１      建築物の壁面に取付けられる金具
１２      ネジ挿通用の貫通したネジ孔
１３      最短の端部
【図１】
2008175378.tif 000003
【図２】
2008175378.tif 000004
【図３】
2008175378.tif 000005
【図４】
2008175378.tif 000006
【図５】
2008175378.tif 000007
【図６】
2008175378.tif 000008